【手続補正書】
【提出日】平成17年6月6日(2005.6.6)
【手続補正１】
【補正対象書類名】明細書
【補正対象項目名】全文
【補正方法】変更
【補正の内容】
【書類名】      明細書
【発明の名称】  消火器を備えた座席
【特許請求の範囲】
【請求項１】  シートの下部に消火器収納箱を配置して、この消火器収納箱内に消火器を収納しておくようにした座席において、
前記消火器収納箱内に、前記消火器を横向きに載置するための支承台を設けるとともに、この支承台上に、前記消火器の奥側に係合される係合部を有した引出部材を摺動自在に組み付け、
さらに、前記消火器収納箱の開口に設けた扉と前記引出部材の外端側とを、チェーンやワイヤ等の索条によって連結しておいて、
前記扉を開いたとき、前記引出部材の一部を前記消火器収納箱から引き出すと同時に、この引出部材の係合部に係合している前記消火器の手前側の一部を前記消火器収納箱から引き出すようにしたことを特徴とする消火器を備えた座席。
【発明の詳細な説明】
【０００１】
【発明の属する技術分野】
本発明は、不特定多数の人が利用する列車やバス等の乗物に適用される座席に関し、特に、消火器を備えた座席に関するものである。
【０００２】
【従来の技術】
不特定多数の人が利用する列車やバス等の乗物においては、万一の場合を想定して消火器を用意しておくことがなされている。この消火器は、列車やバス等の乗物におけるような限られた空間内に用意しておくには大きなものであるため、その収納箇所に苦慮しているのが実状である。
【０００３】
このため、従来では、この消火器を備えるための空間が座席の下部に存在していることに着目して、この座席下の空間内に単なる収納箱を設けておき、この収納箱内に消火器を入れておくようにしていた。
【０００４】
ところが、いざ消火器をこの収納箱から取り出そうとすると、結構手間取るものであることが、本発明者等の検討によって明らかになった。その大きな理由の第一は、列車やバス等の乗物においては、前述したような狭い空間を有効に利用するために、各座席同士をできるだけ詰めて設置してあり、座席間に形成してある通路は、ここに屈んで座席の下を覗くには狭いからである。手間取る第二の理由は、消火器を取り出す必要のあるのは通常緊急時であり、座席間のしかも奥にしまい込まれている消火器の取り出しが、冷静沈着に行えない可能性があるからである。収納箱の設置が座席の間のしかも奥の方になるのは、通路を通る人の邪魔にならないようにしなければならないし、混雑時に座席下に入ってきた乗客の足に当たらないようにもしなければならないからである。
【０００５】
そこで、本発明者等は、列車やバス等の乗物に消火器を設置するに当たって、使用しない時には全く邪魔にならないことは当然として、使用時には簡単に取り出すことができるようにするにはどうしたらよいか、について種々検討を重ねてきた結果、本発明を完成するに至ったのである。
【０００６】
【発明が解決しようとする課題】
本発明は、乗物に設置される消火器についての上記実状に鑑みてなされたもので、その解決しようとする課題は、緊急時においての消火器の取り出しを容易に行えるようにすることである。
【０００７】
すなわち、本発明の目的とするところは、消火器を使用しない時にはこれが全く邪魔にならないことは当然として、緊急時においての消火器の取り出しを容易に行うことのできる消火器を備えた座席を、簡単な構成によって提供することにある。
【０００８】
【課題を解決するための手段】
以上の課題を解決するために、本発明の取った手段は、後述する実施の形態の説明中において使用する符号を付して説明すると、
「シート１０の下部に消火器収納箱２０を配置して、この消火器収納箱２０内に消火器３０を収納しておくようにした座席１００において、
消火器収納箱２０内に、消火器３０を横向きに載置するための支承台２１を設けるとともに、この支承台２１上に、消火器３０の奥側に係合される係合部２２ａを有した引出部材２２を摺動自在に組み付け、
さらに、消火器収納箱２０の開口２０ａに設けた扉２３と引出部材２２の外端側とを、チェーンやワイヤ等の索条２４によって連結しておいて、
扉２３を開いたとき、引出部材２２の一部を消火器収納箱２０から引き出すと同時に、この引出部材２２の係合部２２ａに係合している消火器３０の手前側の一部を消火器収納箱２０から引き出すようにしたことを特徴とする消火器を備えた座席１００」
である。
【０００９】
すなわち、本発明の座席１００は、そのシート１０の下部に配置した消火器収納箱２０内に消火器３０を収納しておくようにしたものであるが、この消火器３０が乗客等の通行の邪魔にならないようにしてあるとともに、必要な時にこの消火器３０の取り出しを迷わずかつ簡単に行えるようにしたものである。
【００１０】
つまり、この座席１００においては、消火器収納箱２０内に、消火器３０を横向きに載置するための支承台２１を設けるとともに、この支承台２１上に、係合部２２ａにて消火器３０の奥側に係合される引出部材２２が摺動自在に組み付けてあり、この引出部材２２によって必要な時の消火器３０の取り出しを迷わずかつ簡単に行えるようにしたものである。
【００１１】
何故なら、この引出部材２２の外端には、チェーンやワイヤ等の索条２４によって扉２３が連結してあるから、図３及び図７に示すように、扉２３を開放することによりこの引出部材２２が半自動的に引き出され、この引出部材２２の引き出しに伴って、消火器３０の頭部（操作用のハンドルがある部分）も、消火器収納箱２０の開口２０ａから自動的に引き出されるからである。
【００１２】
消火器３０の頭部が消火器収納箱２０の開口２０ａから少しでも出れば、乗物の狭い通路にて大きく屈まなくても、また動転している場合であっても、そこに消火器３０が存在していることは一目瞭然となる。また、この消火器３０の頭部が通路側に出るのであるから、その操作用のハンドル等の掴みを、手を少し座席下に入れるだけで容易に行うことができる。そこで、この消火器３０の頭部を掴んでそのまま引き出せば、この消火器３０の当該座席１００の下からの取り出しは簡単に行えるのである。
【００１３】
この消火器３０の引き出しに際しては、後述する実施形態に係る座席１００の消火器収納箱２０においては、消火器３０を支承する支承台２１の中央に凹所２１ａが形成してあり、かつこの凹所２１ａの両側上面には滑動部材２５が取り付けてあるから、消火器３０の支承台２１に対する引出は安定した状態で、しかも滑らかに行うことができるものである。また、引出部材２２についても、支承台２１の凹所２１ａの底部に配置してあり、その上部をベルト通しのようなガイド板２２ｃによってガイドされているから、扉２３の開放に伴って他に引っかかることなく引き出されるのである。
【００１４】
従って、本発明に係る座席１００によれば、消火器３０を使用しない時にはこれが全く邪魔にならないことは当然として、緊急時においての消火器３０の取り出しを容易に行うことのできるものとなっているのである。
【００１５】
【発明の実施の形態】
次に、上記のように構成した本発明を、図面に示した実施の形態である座席１００について説明すると、図１には、この座席１００の通路とは反対側の概略構成が示してあり、この座席１００の通路側は、図２に示したようになっている。つまり、この座席１００においては、これを構成しているシート１０の後方下部に消火器収納箱２０が配置してあり、この消火器収納箱２０内には、図３にも示すように、消火器３０が収納してあるのである。
【００１６】
座席１００のシート１０は、図１及び図２に示した支持板１２等によって乗物の床面上に固定したシートフレーム１１に取り付けてあるが、この支持板１２は、乗物の進行方向に直交する方向に配置してある。この支持板１２は、消火器収納箱２０の固定を主に行うものであるが、シートフレーム１１の支持も行えるようにしているとともに、消火器３０の進行方向、つまり通路方向に直交する方向に配置するようにするものでもある。従って、消火器３０を収納するための消火器収納箱２０は、当該座席１００の後方下部に横置きにして配置されるのである。
【００１７】
この消火器収納箱２０内には、図６に示すように、消火器３０を載置するための支承台２１が設けてあり、この支承台２１上の消火器３０が載置される部分には、図６及び図７に示したように、滑動部材２５が取り付けてある。この滑動部材２５は、当該支承台２１に対する消火器３０の滑りを容易にするとともに、異音の発生をも防止するために、合成樹脂等の材料を採用して形成したものである。そして、この支承台２１には、図６に示したように、断面谷型の凹所２１ａが形成してあり、この凹所２１ａによって消火器３０を転動しないように支承するようにしてある。
【００１８】
この支承台２１の凹所２１ａの底部上には、図７に示したように、引出部材２２が引き出し自在に組み付けてある。この引出部材２２は、消火器３０の高さより少し長い程度の細長いものであり、支承台２１の上面に取り付けたガイド板２２ｃによって支承台２１から外れないようにしてあるとともに、凹所２１ａの底部上面に対して、自在に出し入れされるものである。また、図３に示したように、この引出部材２２の内端には、消火器３０の奥側にある糸尻部３１に係合される係合部２２ａが形成してあり、また、この引出部材２２の外端には、後述する索条２４を取り付けるための連結穴２２ｂが形成してある。
【００１９】
一方、消火器収納箱２０の開口２０ａは、図３及び図７に示したように、扉２３によって開閉されるものであり、この扉２３は、平常時には閉められていて、中の消火器３０に人や物が当たらないようにしてある。勿論、この扉２３の前面には、この奥に消火器３０が入っていることが表示してある。なお、この扉２３は、図４及び図５に示したように、消火器収納箱２０に対して蝶番２３ａにより連結してあることは言うまでもない。
【００２０】
この扉２３の内側には、図５に示したように、索条２４の一端が取り付けてあり、この索条２４の他端は、引出部材２２の外端側になる連結穴２２ｂに連結してある。この索条２４は、チェーンやワイヤ等からなるもので、扉２３を閉めたときには、消火器収納箱２０内に収納されるものである。
【００２１】
この索条２４は、扉２３を開いたとき、引出部材２２の一部を消火器収納箱２０から引き出すことになるものであって、引出部材２２は、その係合部２２ａにて消火器３０の奥側（糸尻部３１）と係合しているから、扉２３の開放と同時に、この引出部材２２の係合部２２ａに係合している消火器３０の手前側の一部が消火器収納箱２０から引き出されることになるのである。
【００２２】
【発明の効果】
以上、詳述した通り、本発明においては、上記実施形態にて例示した如く、
「シート１０の下部に消火器収納箱２０を配置して、この消火器収納箱２０内に消火器３０を収納しておくようにした座席１００において、
消火器収納箱２０内に、消火器３０を横向きに載置するための支承台２１を設けるとともに、この支承台２１上に、消火器３０の奥側に係合される係合部２２ａを有した引出部材２２を摺動自在に組み付け、
さらに、消火器収納箱２０の開口２０ａに設けた扉２３と引出部材２２の外端側とを、チェーンやワイヤ等の索条２４によって連結しておいて、
扉２３を開いたとき、引出部材２２の一部を消火器収納箱２０から引き出すと同時に、この引出部材２２の係合部２２ａに係合している消火器３０の手前側の一部を消火器収納箱２０から引き出すようにしたこと」
にその構成上の特徴があり、これにより、消火器３０を使用しない時にはこれが全く邪魔にならないようにすることができることは当然として、緊急時においての消火器３０の取り出しを容易に行うことができる、消火器３０を備えた座席１００を、簡単な構成によって提供することができるのである。
【図面の簡単な説明】
【図１】本発明に係る座席の下部であって、通路とは反対側からみた部分側面図である。
【図２】同座席の下部であって、通路側からみた部分側面図である。
【図３】同座席の後方下部に配置した消火器収納箱とその中の消火器との位置関係を示す座席の部分背面図である。
【図４】消火器収納箱の開口を覆っている扉の拡大正面図である。
【図５】同扉の平面図である。
【図６】消火器収納箱の開口側からみた拡大正面図である。
【図７】同消火器収納箱の平面図である。
【符号の説明】
１００  座席
１０  シート
１１  シートフレーム
２０  消火器収納箱
２０ａ  開口
２１  支承台
２１ａ  凹所
２２  引出部材
２２ａ  係合部
２２ｂ  連結穴
２２ｃ  ガイド板
２３  扉
２４  索条
２５  滑動部材
３０  消火器
３１  糸尻部
【手続補正２】
【補正対象書類名】図面
【補正対象項目名】図１
【補正方法】変更
【補正の内容】
【図１】
2001245749.tif 000001
【手続補正３】
【補正対象書類名】図面
【補正対象項目名】図２
【補正方法】変更
【補正の内容】
【図２】
2001245749.tif 000002
【手続補正４】
【補正対象書類名】図面
【補正対象項目名】図３
【補正方法】変更
【補正の内容】
【図３】
2001245749.tif 000003
【手続補正５】
【補正対象書類名】図面
【補正対象項目名】図６
【補正方法】変更
【補正の内容】
【図６】
2001245749.tif 000004
【手続補正６】
【補正対象書類名】図面
【補正対象項目名】図７
【補正方法】変更
【補正の内容】
【図７】
2001245749.tif 000005